(57)【要約】【課題】発光・受光の信号変動を補償し、空間状態の検出をより高精度に行うことを可能とした受発光装置を提供する。【解決手段】第１主面４１１と第２主面４１２とを有し、第１主面４１１上にそれぞれ形成された発光素子及び第１センサ部を有する第１基板４１と、第１主面４２１と第２主面４２２とを有し、第１主面４２１上に形成された第２センサ部を有する第２基板４２と、第１基板４１及び第２基板４２からそれぞれ離れた位置に配置され、発光素子から放出されて第１基板４１の第２主面４１２から出射した光の少なくとも一部を第２センサ部に向けて反射する凹面鏡６０と、第１基板４１の第１主面４１１及び第２基板４２の第１主面４２１を覆って封止する樹脂モールド部５０とを備える。第１基板４１及び第２基板４２は互いに側面を対向させて隣り合って配置されている。【選択図】図１
2015216231.tif 000002
【特許請求の範囲】
【請求項１】
第１主面と該第１主面と対向する第２主面とを有し、該第１主面上にそれぞれ形成された発光素子及び第１センサ部を有する第１基板と、
第１主面と該第１主面と対向する第２主面とを有し、該第１主面上に形成された第２センサ部を有する第２基板と、
前記第１基板及び前記第２基板からそれぞれ離れた位置に配置され、前記発光素子から放出されて前記第１基板の第２主面から出射した光の少なくとも一部を前記第２センサ部に向けて反射する光反射部と、
前記第１基板の第１主面及び前記第２基板の第１主面を覆って封止する封止部とを備え、
前記第１基板及び前記第２基板は互いに側面を対向させて隣り合って配置されている受発光装置。
【請求項２】
前記第１基板及び前記第２基板は互いに離間した状態で並べて配置されている請求項１に記載の受発光装置。
【請求項３】
前記第１基板と前記第２基板との間に前記封止部の一部が介在している請求項２に記載の受発光装置。
【請求項４】
前記発光素子に電流を供給すると共に、前記第１センサ部及び前記第２センサ部からの各出力信号を処理する信号処理部と、
前記信号処理部に接続された端子と、を更に備え、
前記信号処理部のうち少なくとも能動面は前記封止部に覆われて封止され、かつ前記端子の少なくとも一部は前記封止部から露出している請求項１から請求項３の何れか一項に記載の受発光装置。
【請求項５】
前記第１基板と前記第２基板との離間距離は、前記第１基板及び前記第２基板の各辺のうち一番長い辺の長さよりも小さい請求項１から請求項４の何れか一項に記載の受発光装置。
【請求項６】
前記光反射部は、前記光の少なくとも一部を集光して反射する凹面鏡である請求項１から請求項５の何れか一項に記載の受発光装置。
【請求項７】
前記発光素子の発光面の重心と前記第２センサ部の受光面の重心との距離が３ｍｍ以内である請求項４に記載の受発光装置。
【請求項８】
前記発光素子から出射した光の光量をＰｏｕｔとした場合、前記第２センサ部に入射する光の光量が０．３×Ｐｏｕｔ以上となるように、前記光反射部が配置される請求項１から請求項７の何れか一項に記載の受発光装置。
【請求項９】
予め設定した波長帯の光のみを透過する光学フィルタを更に備え、
前記発光素子から放出されて前記第１基板の第２主面から出射した光が前記第２基板の第２主面に入射する前に前記光学フィルタを２回透過するように、前記光学フィルタが配置される請求項１から請求項８の何れか一項に記載の受発光装置。
【請求項１０】
前記第１センサ部と前記第２センサ部及び前記発光素子がそれぞれ、同一の材料で同一の積層構造からなる請求項１から請求項９の何れか一項に記載の受発光装置。
【請求項１１】
前記積層構造は、少なくともＰ型半導体とＮ型半導体の２種類の層からなるダイオード構造であり、且つ、インジウム又はアンチモンの何れかの材料を含む請求項１０に記載の受発光装置。
【請求項１２】
前記第１基板と前記第２基板は、同一の材料からなる請求項１から請求項１１の何れか一項に記載の受発光装置。
【発明の詳細な説明】
【技術分野】
【０００１】
本発明は、受発光装置に関する。
【背景技術】
【０００２】
発光素子は多くの用途に用いられており、室内／屋内の照明用途もさることながら、特定波長の光を発光する発光素子を用いた光学的装置（紫外光を用いた殺菌装置、反射光を用いた測距装置）にも用いられている。さらに、発光素子と受光素子とを組み合わせ、発光素子と受光素子との間の空間状態を検知する受発光装置（特定空間内の物体検知装置、赤外光を用いたガスセンサ（特許文献１参照）等）にも用いられている。この空間状態を調べるために、発光された光を効率よく受光部に導く必要がある。
【先行技術文献】
【特許文献】
【０００３】
【特許文献１】特表２００１−５０３８６５号公報
【発明の概要】
【発明が解決しようとする課題】
【０００４】
発光素子は、使用環境や経時変化により、その発光特性が変化する。具体的には発光強度の変化や、発光波長の変化が挙げられる。上述した受光素子の出力に基づいて、発光素子と受光素子間の空間状態を検知するような受発光装置の場合、発光素子の発光特性が変化すると、受光素子の出力から正確に空間状態を検知することができなくなってしまう。
このような発光特性の変化を低減する方法としては、発光素子から出射された光をモニタリング用の受光素子で検知し、このモニタリング用の受光素子の出力に基づいて発光素子の発光特性の変化をモニタリングし、発光素子の動作を制御したり、状態検出用の受光素子の出力を補償したりする方法が挙げられる。しかし、モニタリング用の受光素子に到達する光も、同様に上記空間において減衰等の影響を受けるため、この空間の状態が変化すると正確にモニタリングできなくなる。
【０００５】
光の波長が長い程（例えば３μｍ以上の赤外線）、上記の発光素子の劣化に加えて、受光素子の温度特性の問題もある。具体的には長波長の光を検知する光センサは、長波長の光子のエネルギーが小さいため、高感度化が実現困難だけではなく、センサ温度によって、感度は大きく変動してしまう。長波長の赤外線センサの例として、ＩｎＳｂやＩｎＡｌＳｂやＩｎＡｓＳｂの半導体材料を光吸収層に用いたフォトダイオード構造の量子型赤外線センサが挙げられる。これらの材料を用いた具体的な例としては、４．３μｍ付近の波長帯を扱うＣＯ２センサや波長９．６μｍ付近の波長を使う血液中のグルーコーズセンサなどが挙げられる。
そこで、本発明は、このような事情に鑑みてなされたものであって、発光・受光の信号変動を補償し、空間状態の検出をより高精度に行うことを可能とした受発光装置を提供することを目的とする。
【課題を解決するための手段】
【０００６】
本発明者は上記の課題を解決するために鋭意検討した結果、以下に示す受発光装置を想到するに至った。
本発明の一態様に係る受発光装置は、第１主面と該第１主面と対向する第２主面とを有し、該第１主面上にそれぞれ形成された発光素子及び第１センサ部を有する第１基板と、
第１主面と該第１主面と対向する第２主面とを有し、該第１主面上に形成された第２センサ部を有する第２基板と、前記第１基板及び前記第２基板からそれぞれ離れた位置に配置され、前記発光素子から放出されて前記第１基板の第２主面から出射した光の少なくとも一部を前記第２センサ部に向けて反射する光反射部と、前記第１基板の第１主面及び前記第２基板の第１主面を覆って封止する封止部とを備え、前記第１基板及び前記第２基板は互いに側面を対向させて隣り合って配置されていることを特徴とする。
【発明の効果】
【０００７】
本発明の一態様によれば、発光・受光の信号変動を補償し、空間状態の検出をより高精度に行うことを可能とした受発光装置を提供することができる。
【図面の簡単な説明】
【０００８】
【図１】本発明の第１実施形態に係る受発光装置の構成例を示す図である。
【図２】第１基板と第２基板の断面を示す図である。
【図３】本発明の第２実施形態に係る受発光装置の構成例を示す図である。
【図４】本発明の第３実施形態に係る受発光装置の構成例を示す図である。
【図５】本発明の第４実施形態に係る受発光装置の構成例を示す図である。
【図６】本発明の第５実施形態に係る受発光装置の構成例を示す図である。
【図７】信号処理部４５に接続された端子４７の一例を示す図である。
【発明を実施するための形態】
【０００９】
＜全体構成＞
以下、本発明を実施するための形態（以下、本実施形態）について説明する。本実施形態に係る受発光装置は、発光素子と、発光素子から出力された光が入射するようにそれぞれ配置された第１センサ部及び第２センサ部を有する受発光装置である。この受発光装置は、第１主面（例えば、表面）と、第１主面と対向する第２主面（例えば、裏面）とを有し、第１主面上に発光素子と第１センサ部とが設けられた第１基板を備える。また、この受発光装置は、第１主面（例えば、表面）と、第１主面と対向する第２主面（例えば、裏面）とを有し、第１主面上に第２センサ部が設けられた第２基板を備える。
【００１０】
第１センサ部の配置位置は、第１基板の第１主面であって、発光素子から出力された光のうちの第１基板の第２主面で反射した光が入射する位置に設定されている。これにより、発光素子から放射された光が常に同一状態の環境（光路）を通過して第１センサ部に入射する。それゆえ、使用環境の変化や経年変化で発光素子の発光特性が変化した場合でも、又は、温度によって受光素子の感度が変化したとしても、第２センサ部（状態検出用の受光素子）による空間状態の検出を正確に行うことが可能になる。
【００１１】
また、本発明の実施形態に係る受発光装置において、第１センサ部と第２センサ部は、同一の温度特性を有することが好ましい。本実施形態において「同一の温度特性」とは、本発明の効果を妨げない程度に温度特性が概ね揃っている状態を意味する。具体的には、被検出ガスが存在しない条件下において、受発光装置の一般的な使用温度範囲（例えば０℃から５０℃の範囲では）センサ温度がＴｘにおいて、第１センサ部の出力信号がＳ１、第２センサ部の出力信号がＳ２とした場合を考える。この場合で、温度が１℃変化した場合、つまりセンサ温度がＴｘ±１℃となった時に、第１センサ部の出力信号がａ×Ｓ１へ、第２センサ部の出力信号がｂ×Ｓ２へと変化した場合、ａ／ｂが１℃あたり０．８以上１．２以下であることが好ましく、０．９以上１．１以下であることがより好ましく、０．９９以上１．０１以下であることが更に好ましい。
【００１２】
１℃あたりの第１センサ部及び第２センサ部の出力の変化係数の比（ａ／ｂ［／℃］）の最大値と最小値の比が０．８以上１．２以下であれば、受発光装置の環境温度によらず、発光素子の発光特性が変化した場合でも第２センサ部による空間状態の検出を正確に行うことが可能になるため好ましい。具体的には、第１センサ部及び第２センサ部の温度を０℃から５０℃まで変化させたときの第１センサ部及び第２センサ部の出力変化係数（ａ及びｂ）を求め、温度をΔＴ変化させたときの、ａ／ｂ／ΔＴ比を計算することによって、上記の１℃あたりの出力の変化係数の比を確認することができる。
【００１３】
本発明では、第１基板に設けられた第１センサ部の温度と第２基板に設けられた第２センサ部との間の温度差が極力抑える必要がある。環境温度だけではなく、空間に流れる流体、又はガスの温度自身が変化した場合、これらの変化が第１基板及び第２基板の温度差（つまり、第１センサ部及び第２センサ部の温度差）を瞬間的に変動させる要因となりうる。
本発明は、第１基板と第２基板とが接近するように配置され、流体／ガスの温度変化による外乱、又は環境温度の急激な温度変化の影響を抑制することができる。本発明では、第１基板と第２基板との離間距離Ｌは、第１基板及び第２基板の各辺のうち一番長い辺の長さよりも小さいことが好ましい。具体的に、基板の平面視による形状が長方形で、この長方形の各辺の長さがａとｂ（ａ≧ｂ）とし、第１基板と第２基板との間の隙間の長さ（即ち、離間距離）をＬとすると、Ｌ≦ｂであれば良く、Ｌ≦０．８ｂは更に良く、Ｌ≦０．５ｂは更に望ましい。
【００１４】
また、発光・受光のＳ／Ｎ比の観点からみれば、発光素子の発光面の重心と第２センサ部の受光面の重心との距離が３ｍｍ以内であると、発光・受光のＳ／Ｎ比が高くな
り、高精度の空間状態測定が可能となる。また、発光・受光のＳ／Ｎが大きくなると発光素子に低電流化が実現でき、受発光装置の低消費電力化が更に実現できる。
第１センサ部及び第２センサ部の１℃あたりの出力の変化係数比の最大値と最小値を上述の範囲にする方法としては、第１センサ部及び第２センサ部を同一の材料で同一の積層構造にする方法が挙げられる。同一の材料及び同一の積層構造とすることにより、第１センサ部及び第２センサ部の温度特性は理論上同一となる。  
【００１５】
また、第１センサ部と第２センサ部の温度特性を同じにするには、積層構造が同じであることと、同時に製造される（即ち、積層構造を構成する各層について、第１センサ部及び第２センサ部の間で同時に形成する）ことが好ましい。
また、受発光装置全体の高いＳ／Ｎ比を実現するために、第１センサ部と第２センサ部の面積を変えても良い。例えば、第１センサ部に届く光が強い場合、第１センサ部の受光面積をＳ／Ｎが低下しない程度に小さくしても、受発光装置全体のＳ／Ｎ比が低下しない。このため、第１センサ部の受光面積を小さくし、その分、発光素子が占める面積を広くすることができ、受発光装置全体のＳ／Ｎ比の向上を図ることができる。
【００１６】
また、第１センサ部及び第２センサ部は、多数の受光部で形成されると良い。この場合、受光面積が受光部の数に比例し、受光面積が大きい程、高いＳ／Ｎ比が得られる。また、第１センサ部と第２センサ部の各受光面積を変えても、分光感度特性や温度特性が変わることはないので、本発明の効果は維持される。第１センサ部の受光部の数をｎとし、第２センサ部の受光部の数をｍとしたとき、受光部の数の比は、ｎ／ｍが１／５００程度でも良いが、場合によって、１／１００程度でも良く、１／１０程度でも良い。発光素子の発光能力に応じて、受光部の数の比を設計することが好ましい。
【００１７】
また、同一基板上に、同一材料、同一工程で第１センサ部と第２センサ部を形成するとよい。これにより、第１センサ部と第２センサ部の分光感度特性が同じになると共に第１センサ部と第２センサ部の温度特性が同一となり、本発明の効果が最も発揮される。ここで分光感度特性とは、各波長における感度を意味する。後述のように、第１基板の第２主面上に、光の波長を選択するような光学フィルタ（例えば、バンドパスフィルタ）を設けることによって、第１センサ部と第２センサ部に入射する波長帯を選択することが可能となる。このような光学フィルタは光路の途中に設ける必要はあるが、第１基板及び／又は第２基板の第２主面に設けると良い。光学フィルタは半値幅の狭い透過特性（数１０ｎｍ〜数１００ｎｍ）を実現できるため、特定の波長を選択することが容易にできる。
【００１８】
更に、本発明では同じ光学フィルタに同じ光線が２回通ることでフィルタ特性がより急峻になり、より高精度の空間状態検出が測定可能となる。
基板面積の利用効率の観点から、第１センサ部と第２センサ部は同一の構造の多数の受光部を有し、第１センサ部と第２センサ部とで受光部の数が異なっていることが好ましい。受光部の数の相違数は特に制限されないが、一般的に発光素子と同じ基板に設置される受光部は、異なる基板に設置される受光部より、単位面積当たり、多くの光束を吸収することができる。このため、第１基板の受光面積を第２基板の受光面積よりも小さくしても良い。
【００１９】
また、第１センサ部と第２センサ部の両方の信号のＳ／Ｎ比のバランスを無駄なく保つために、受光面積（受光部の数）が異なることは好ましい。本実施形態に係る受発光装置をガスセンサに適用した場合、第１センサ部と第２センサ部の出力信号（Ｉｐ１、Ｉｐ２）に基づいて、濃度を計算するため、ガスセンサ全体の最小分解能は第１センサ部と第２センサ部のＳ／Ｎ比で決まる。
出力信号比（Ｉｐ１／Ｉｐ２）は、第１基板及び第２基板の各材質、第１基板の第２主面及び第２基板の第２主面の各加工方法、制御層の有無やその光学特性等によって変化する。後述のように、これらの出力信号比が適切な割合になるようにすれば、基板の利用効率を高め、センサ部の面積を最低限にして小型化を図りながら所望の精度を有する受発光装置が設計できる。
【００２０】
次に、受発光装置の各構成部について、より具体的に説明する。
［第１基板］  
本実施形態に係る受発光装置において、第１基板は、第１主面上に発光素子と第１センサ部を有する。第１基板の材料は特に制限されない。第１基板の材料として、例えばＳｉ、ＧａＡｓ、サファイヤ、ＩｎＰ、ＩｎＡｓ、Ｇｅ等が挙げられるがこの限りではなく、使用する波長帯に応じて選択すればよい。第１センサ部と発光素子とを電気的に絶縁させることが容易にできる観点から、第１基板として半絶縁性基板を利用することが好ましい。半絶縁性基板が作成可能であり、大口径化が可能である観点から、ＧａＡｓ基板は特に好ましい。測定感度向上の観点から、第１基板の材料は、発光素子から出力される光の透過性が高いものであることが好ましい。また、発光素子の出力変動を高精度に補償する観点から、第１基板の材料は、第２主面において発光素子から出力された光が効率的に反射する材料であることが好ましい。更に、後述のようにインジウム（Ｉｎ）又はアンチモン（Ｓｂ）を含む積層構造の第１センサ部、第２センサ部及び発光素子を形成しやすい観点から、第１基板はＧａＡｓ基板であることが好ましい。
【００２１】
第１センサ部、第２センサ部及び受光素子に用いられる材料としては、ＩＩＩ−Ｖ族系の化合物半導体が好ましく、インジウム（Ｉｎ）、アルミニウム（Ａｌ）、ガリウム（Ｇａ）からなる群より選択される少なくとも一つのＩＩＩ族原子と、アンチモン（Ｓｂ）、ヒ素（Ａｓ）からなる群より選択される少なくとも一つのＶ族原子の化合物半導体であることがより好ましく、ＩｎＳｂ或いは、ＡｌＩｎＳｂ、ＧａＩｎＳｂ、ＡｓＩｎＳｂを少なくとも含む化合物半導体であることがより更に好ましい。被検出ガスがＣＯ２の場合、ＣＯ２の波長４．３μｍ付近の吸収を検出するために、第１センサ部、第２センサ部及び受光素子には、ＡｌＩｎＳｂ又はＧａＩｎＳｂを利用すると良い。また、気化したアルコールのような気体を検出する場合、更に長波長（９〜１０μｍ）にする必要があり、この場合第１センサ部、第２センサ部及び受光素子には、ＡｓＩｎＳｂを利用すると良い。
【００２２】
また、第１基板は、光取り出し効率及び光反射・散乱効率の観点から、第１基板の第２主面上に、発光素子から出力される光のうち、基板内で散乱する光量及び反射・散乱角度と、第１基板の第２主面からセル内に放射される光量及び放射角度を制御するための制御層を有することが好ましい。一般的に使われる基板材料の屈折率は高いため、基板から外部への光取り出しは難しく、発光素子から出力された光の多くが基板内で散乱することとなる。本実施形態に係る受発光装置においては、第１基板の第２主面上に制御層を設けることによって、センサ全体のＳ／Ｎ比を高くする（高分解能が得られる）ように設計することが可能になる。制御層の具体例としては、反射防止膜や、屈折率の異なる多数の材料の積層膜、粗面化した層、又は、それらの組み合わせが挙げられる。
【００２３】
［発光素子］  
本実施形態に係る受発光装置において、発光素子は第１基板の第１主面上に形成される。発光素子は、被検出ガスによって吸収される波長を含む光を出力するものであれば特に制限されない。発光素子の具体的な形態は第１基板の第１主面上に形成できるものであれば特に制限されない。発光素子の具体的な例としては、ＭＥＭＳ（Ｍｉｃｒｏ  Ｅｌｅｃｔｒｏ  Ｍｅｃｈａｎｉｃａｌ  Ｓｙｓｔｅｍｓ）やＬＥＤ（Ｌｉｇｈｔ  Ｅｍｉｔｔｉｎｇ  Ｄｉｏｄｅ）が挙げられ、その中でも、被検出ガス以外の成分の光吸収によるノイズを低減する観点から、被検出ガスの吸収が大きい波長帯の光のみを出力するものであることが好ましい。具体的には、発光波長帯をアクティブ層のバンドギャップでコントロールということから、ＬＥＤ構造は望ましい場合がある。
【００２４】
発光素子はＭＢＥ（Ｍｏｌｅｃｕｌａｒ  Ｂｅａｍ  Ｅｐｉｔａｘｙ）又はＣＶＤ（Ｃｈｅｍｉｃａｌ  Ｖａｐｏｒ  Ｄｅｐｏｓｉｔｉｏｎ）のような成膜方法を用いて成膜した、ＰＮ接合又はＰＩＮ接合の積層構造部を持つことが好ましい。この積層構造部に電力を供給することによって、ＬＥＤとして動作し、積層構造部の材料のバンドギャップに応じた波長の光を放出することができる。この積層構造部（即ち、活性層）がＩｎ又はＳｂを含むことにより赤外線領域の光（即ち、赤外線）を発光させることが可能になる。具体的には、活性層にＩｎＳｂやＩｎＡｌＳｂやＩｎＡｓＳｂを用いることにより、１〜１２μｍの波長を出力することができる。
活性層がＩｎ及び／又はＳｂを含むようなナローバンドギャップ材料は、一般的に温度特性（発光素子自体の温度による発光特性の変化）が大きい。しかしながら、本実施形態の受発光装置によれば、大きな発光特性の変化であってもその変化を常に正確にモニタリングすることが可能であり、そのモニタリング結果に基づいて発光素子の動作を制御することで常に一定の発光特性を実現することが可能である。
【００２５】
［第１センサ部］  
本実施形態に係る受発光装置において、第１センサ部は、第１基板の第１主面上に形成される。第１センサ部の配置位置は、発光素子から出力された光のうち、第１基板の第１主面と対向する第２主面において反射した光が入射する位置であれば特に制限されない。信号処理の応答速度の観点から、第１センサ部の積層構造としては、ＰＮ接合又はＰＩＮ接合のダイオード構造であり、インジウム又はアンチモンの何れかの材料を含んでも良い。更に、Ｇａ、Ａｌ、Ａｓからなる群より選択される少なくとも１つの材料をさらに含む混晶系の材料を含んでも良い。また、温度特性を揃える観点から、第１センサ部の受光素子の材料及び積層構造は、発光素子の材料及び積層構造と同様のものであることが好ましい。
【００２６】
センサ部を回路（増幅器）に接続した場合のＳ／Ｎ比の観点から、多数の受光素子を直列に設けることが好ましい。これにより、受光部全体の内部抵抗を大きくすることができるため、増幅器に接続した場合、高いＳ／Ｎ比が実現できる。そのため、本実施形態の第１センサ部は、受光素子を複数直列接続した形態であることが好ましい。
また、発光素子と第１センサ部とが同じ第１基板に配置されているため、第１センサ部に入射する光量は、第２センサ部に入射する光量よりも大きくなる傾向がある。このため、第１センサ部の受光部の総面積は、第２センサ部の受光部の総面積よりも小さくすることができる。これにより、受発光装置のより一層の小型化を図ることができる。
【００２７】
［第２基板］  
本実施形態に係る受発光装置において、第２基板は第１主面上に第２センサ部を有していれば特に制限されない。第２主面側から入射した光は、第２基板内部を通過して、第２センサ部に入射される。第２基板の材料は特に制限されない。第２基板の材料として、例えばＳｉ基板、ＧａＡｓ基板、サファイヤ等が挙げられるがこの限りではない。測定感度向上の観点から、第２基板の材料は、第２主面側から入射した光に対する透過性が高いものであることが好ましい。
【００２８】
小型化の観点から、第２基板は、第１基板と互いに側面を対向させて隣り合って配置され、第１基板と第２基板との間に光遮断部が配置されることが好ましい。この形態の受発光装置は、後述の光反射部を備えることが好ましい。また、上記の光遮断部は、第１基板及び第２基板の接合部に配置されることが好ましい。このように配置された光遮断部を有することにより、発光素子から出力された光が外部空間を経由せずに第２センサ部に入射することを防ぐことができ、第２センサ部における検出感度を向上することができるため好ましい。本実施形態では、封止部の一部が第１基板と第２基板との間に介在していてもよい。封止部のうち第１基板と第２基板との間に介在する部分が、光遮断部として機能する。
【００２９】
［第２センサ部］  
本実施形態に係る受発光装置において、第２センサ部は、第２基板上に配置されるものであれば特に制限されない。前述のとおり、第２センサ部と第１センサ部の温度特性を同等のものにする観点から、第２センサ部と第１センサ部は、その製造工程において同一基板上に形成されたものであることが好ましく、同じ積層構造を有することがより好ましい。
信号処理の応答速度の観点から、第２センサ部の積層構造としては、ＰＮ接合又はＰＩＮ接合のダイオード構造であり、インジウム又はアンチモンの何れかの材料を含むことが好ましい。
測定感度向上の観点から、第１基板の第２主面から放射された光が第２センサ部に入射するまでの光路中に、特定の波長帯（予め設定した波長帯）のみを透過する光学フィルタを有することが好ましい。本実施形態に係る受発光装置において、発光素子から出力される光が広範な波長帯の光である場合、特に上記光学フィルタを有することが好ましい。
【００３０】
また、本実施形態に係る受発光装置において、第１センサ部を有する第１基板と第２センサ部を有する第２基板は元々同じ（即ち、ダイシング前は同一の）ウエハーであり、第１センサ部と第２センサ部が同様の積層構造であることが好ましい。これにより、第１センサ部と第２センサ部との間の感度特性及び感度の温度特性のバラつきが抑制され、本発明の効果がより発揮することができる。具体的に、第１センサ部の感度をＲｉ２（λ）［Ａ／Ｗ］とし、第２センサ部の感度をＲｉ２（λ）［Ａ／Ｗ］としたとき、｜Ｒｉ２（λ）−Ｒｉ１（λ）｜／（Ｒｉ１（λ））が２０％以内であればよく、１０％以下にすると更に良く、５％以下にすると更に好ましいが、２％以内、更に１％以下であった方が本発明の効果を更に発揮でき、超高精度の温度・経時変化補償が可能となる。
【００３１】
これまで、第１基板に発光素子（第１発光素子）と第１センサ部が設けられ、第２基板には第２センサ部のみが設けられている場合について説明した。しかしながら、本発明はこれに限定されるものではない。本発明では、上記の構成に加えて、第２基板に発光素子（第２発光素子）が設けられていてもよい。この場合、時間Ｔ１では第１発光素子から出射する光の一部は第１基板の第２主面で反射されて第１センサ部に入射し、第１基板の第２主面から出射した光は光反射部（例えば、凹面鏡）の鏡面で反射されて、第２基板にある第２センサ部に入射する。時間Ｔ２では、時間Ｔ１と同様に、第２発光素子から出射された光の一部は第２基板の第２主面で反射されて第２センサ部に入射し、第２基板の第２主面から出射した光は光反射部の鏡面で反射されて、第１基板にある第１センサ部に入射する。
このような設定では、光の受発光の際に、光が双方向に同じＳ／Ｎ比を持つことが望ましい。温度補正をするために、第１センサ部と第２センサ部の感度と温度特性を等しくすることが望ましく、空間状態の透過率に応じた信号と基板を介した信号の比を取る必要がある。これにより、発光素子の温度特性と経時変化が補償できる。時間Ｔ１で得られる信号比はＲ１＝Ｓ２／Ｓ１となり、時間Ｔ２で得られる信号比はＲ２＝Ｓ１／Ｓ２となり、信号比の平均値Ｒ＝（Ｒ１＋Ｒ２）／２を空間状態の透過率を情報を検出することに利用すると、Ｓ／Ｎ比が実現できるので、この構成は好ましい場合はある。
【００３２】
［光反射部］
光反射部として、凹面鏡を用いることができる。凹面鏡の役割は発光素子から出力された光のうち、基板から出射した光を反射して第２センサ部に検出させることである。凹面鏡を用いることによって、受発光装置のＳ／Ｎ比が飛躍的に向上できる。凹面鏡の構造として、封止部上に固定されるような構造であれば良い。凹面鏡に使用される材料は金属でも樹脂でもセラミックでも、或いは、その組み合わせでも良く、内壁が発光素子からの光を効率よく反射できる構造であれば、材料の制限、又は組み合わせの制限はない。樹脂を利用した場合、受発光素子の半田リフローの際に、高温（例えば１５０℃）以上の耐熱性を持つ樹脂が望ましい。一般的な半導体素子の樹脂モールド部に使われる樹脂の例として、エポキシー樹脂やポリフタルアミド等が挙げられる。また、図示していないが、被検出物質（液体やガスなど）が光路に入るように、凹面鏡、樹脂モールド部、又は、凹面鏡と樹脂モールド部の間に、開口部を設けても良い。後述ように、凹面鏡は発光素子の数だけ増やしても良い。
なお、光素子から出射した光の光量をＰｏｕｔとした場合、第２センサ部に入射する光の光量が０．３×Ｐｏｕｔ以上となるように、凹面鏡が配置されることが好ましい。
【００３３】
［信号処理部］
信号処理部は発光素子に電流を供給し、各センサ部の出力信号を受け、空間状態（例えば透過率や濃度、など）に応じた信号を出力する。
［光学フィルタ］
光学フィルタは光の一部の波長のみ透過する役割を持つ。光学フィルタの具体的な構成は透明基板（例えば、長波長の赤外線の場合、Ｓｉ）上に屈折率の異なる膜を交互に積層したものが一般である。例えば、ＣＯ２ガスのような物質の場合、波長４．３μｍ付近の波長のみを透過するバンドパスフィルタを利用すると良い。このフィルタを固定するにはフィルタ保持部を更に設けても良い。
また、後述のように、光が２回同じフィルタを透過するため、光学フィルタに積層される膜の枚数を減らしても鋭いバンドパス特性が得られる。従って、簡易的な光学フィルタでも、高精度フィルタ級のバンドパスフィルタ半値幅が実現できるので、好ましい場合はある。
【００３４】
［（被検出物質）供給口］  
被検出物質の供給口は、例えば、光反射部と封止部とで囲まれるセル内の光路に被検出物質が出入ができるようにするための開口である。セルに設けられる供給口の開口の径及び設置場所には制限ないが、断面積が小さく、長い程、被検出物質の供給速度が低下し、状態検出機能の応答速度が低下する。一方、開口部が凹面鏡に設けられた場合、断面積が大きい程、光の反射面が狭まれるので、受発光の効率（発光量／受光量）が低下するので、受発光装置の設計の際、応答速度と共に、Ｓ／Ｎ比を十分に考慮する必要はある。
【００３５】
＜実施形態の効果＞
本実施形態は、以下の効果（１）〜（３）を奏する。
（１）発光素子から第１センサ部に至る光路は第１基板内にあり、この光路中に光学フィルタ（例えば、バンドパスフィルタ）や外部空間は存在しない。これにより、光路中にバンドパスフィルタや外部空間が存在する場合と比べて、受発光装置の使用環境によらず、光路での光の減衰を抑えることができ、第１センサ部が検出する信号のＳ／Ｎ比の低下を抑えることができる。
（２）上述したように、第１センサ部が検出する信号のＳ／Ｎ比の低下を抑えることができる。また、発光素子の発光強度の変化を定期的に校正しなくても、発光強度の変化による測定誤差を補償することができる。これにより、受発光装置の測定ばらつきを低減することができるため、高精度で、信頼性の高い受発光装置を提供することができる。
（３）第１センサ部と第２センサ部の外乱による温度差の抑制ができる。即ち、本実施形態は、経時変化や使用環境（例えば、環境温度）の変化により生じる、発光・受光の信号変動を補償し、発光素子の発光特性が変化した場合でも、又は、温度によって第１センサ部や第２センサ部の各感度が変化したとしても、第２センサ部による空間状態の検出をより高精度に行うことを可能とした受発光装置を提供することができる。更に、外乱による、第１、第２センサ部間の温度差を極限まで低減しながら、発光素子から第２センサ部に至る長い光路を実現できるため、被検出物質の濃度の変化を高い感度で検出できる。
このように、本実施形態によれば、長い光路を実現ししながら、補償用の第１センサ部と空間状態検出用の第２センサ部の温度差を極限まで低減することを可能とし、発光・受光の信号変動を精密に補償し、空間状態の検出をより高精度に行うことができる。
【００３６】
＜実施形態の適用＞  
以上記載したように、本実施形態に係る受発光装置は、種々の機器に適用することが可能であり、発光素子と第２センサ部の光路空間の状態（特定のガスの有無や濃度、流体の特定成分の有無や濃度等）を検出することが可能になる。例えば建物や測定機器中の特定のガスの濃度を検出するためのガスセンサや、携帯電話やスマートフォンなどの携帯通信機器に搭載されるガスセンサや、自動車や電車、航空機等の移動手段中のガス濃度を検出するためのガスセンサ、発光素子から第２センサ部間の光路空間を流れる物質（例えば水や体液）の成分検出装置、血液中のグルコース濃度測定などに用いることができる。
例えば、ＣＯ２濃度は生物の睡眠との相関性があると考えられている。本実施形態に係る受発光装置の測定対象ガスをＣＯ２とした場合、周囲の温度が大きく変化しやすい環境下であっても、高精度にＣＯ２濃度を検出することが可能になる。これにより、本実施形態に係る受発光装置は、例えば、車の運転における居眠り防止装置（例えば、所定のＣＯ２濃度に達したら警報を発する／自動的に換気を行う等）として好適である。
【００３７】
また、血液中のグルコース検出は波長９．６μｍという波長での吸収を測定することより血糖中のグル―コース濃度を測定することができる。本実施形態に係る受発光装置を利用することによって、９．６μｍの波長帯でも小型で高精度・高信頼性の測定計を実現することができる。このようなグルコース濃度測定計を実現することによって、糖尿病の患者が自分自身で侵襲式の方法で生じるような皮膚にダメージを与えずに精度良く血糖値を調べることができ、より正確に投薬（例えばインスリン）の管理が実現できる。
また、本実施形態に係る受発光装置は従来の受発光装置と比較してＳ／Ｎ比が高いため、従来よりも小型・薄型化しても同等以上の性能を示すため、従来適用することが困難であった小型の機器（例えば携帯通信機器）等への適用が可能になる。
【００３８】
＜実施形態の具体例＞  
次に、図面を参照して本発明の実施形態の具体例（第１〜第５実施形態）について説明する。なお、以下に説明する各図において、同一の構成を有する部分には同一の符号を付し、その繰り返しの説明は省略する。
［第１実施形態］  
図１は本発明の第１実施形態に係る受発光装置の構成例を示す概念図であり、図１（ａ）は平面図、図１（ｂ）はこの平面図をＸ１−Ｘ´１線で切断した断面図である。図１（ａ）及び（ｂ）に示すように、この受発光装置では、第１基板４１と第２基板４２とが互いに離間した状態で、その側面（即ち、外周側面の一部）を対向させて隣り合って配置されている。
また、第１基板４１の第１主面４１１とその側面、第２基板４２の第１主面４２１とその側面は、樹脂モールド部５０によって覆われて封止されている。第１基板４１と第２基板４２との間の隙間には樹脂モールド部５０の一部が介在している。これにより、第１基板４１の側面と第２基板４２の側面との間が遮光されている。また、第１基板４１の第２主面４１２と第２基板４２の第２主面４２２はそれぞれ、樹脂モールド部５０から露出している。なお、この例では、第１基板４１の第２主面４１２と第２基板４２の第２主面４２２は、樹脂モールド部５０の表面（例えば、上面）と面一となっている。
【００３９】
また、図１（ａ）に示すように、この受発光装置は、樹脂モールド部５０に封止された信号処理部４５と、この信号処理部４５に接続された端子と、をさらに備える。信号処理部４５は、第１基板４１の第１主面４１１上に形成された発光素子に電流を供給すると共に、第１基板４１の第１主面４１１上に形成された第１センサ部及び第２基板４２の第１主面４２１上に形成された第２センサ部からの各出力信号を処理する機能を有する。
図７に、信号処理部４５に接続された端子４７の一例を示す。図７に示すように、第１基板４１にある素子と第２基板４２にある素子と信号処理部４５との間は、ワイヤボンディング（例えば、図７に示すようなワイヤー４９）によって接続されてもよい。また、信号処理部４５と端子４７との間もワイヤーボンディングによって接続されてもよい。この信号処理部４５のうち少なくとも能動面（回路が形成された側の面）は樹脂モールド部５０に覆われて封止されている。また、この信号処理部４５に接続された端子４７の少なくとも一部は樹脂モールド部５０から露出している。これにより、この端子４７は、受発光装置の内部／外部間電気接続用の端子として用いるようになっている。
【００４０】
また、図１（ａ）及び（ｂ）に示すように、この受発光装置は、第１基板４１及び第２基板４２からそれぞれ離れた位置であって、第１基板４１の第２主面４１２側及び第２基板４２の第２主面４２２側に配置された凹面鏡６０を備える。凹面鏡６０の凹面（即ち、凹状の曲面）６０１は光を反射する鏡面であり、第１基板４１の第２主面及び第２基板４２の第２主面の側に向けらている。これにより、凹面鏡６０は、第１基板４１の第２主面４１２から出射した光を第２センサ部３２に向けて反射することが可能となっている。また、この受発光装置は、凹面鏡６０と樹脂モールド部５０とでセル１０を構成している。このセル１０には、被検出物質（例えば、測定対象ガス）を導入するための供給口（図示せず）が設けられている。この供給口を通して、セル１０内の空間に測定対象ガスが導入される。
【００４１】
図２は、第１基板４１及び第２基板４２の構成例を示す断面図である。図２では、第１基板４１と第２基板４２の寸法は異なるが、互いに同じ寸法でも良い。また、後述のように、第２基板４２上にも、発光素子（第２の発光素子）を設けても良い。
図２に示すように、発光素子２０は、例えば、第１基板４１の第１主面４１１上に形成された第１導電型の半導体層２０１と、半導体層２０１上に形成された第２導電型の半導体層２０２及び電極２０３と、半導体層２０２上に形成された電極２０４とを有する。
第１センサ部３１は、例えば、第１基板４１の第１主面４１１上に形成された第１導電型の半導体層３１１と、半導体層３１１上に形成された第２導電型の半導体層３１２及び電極３１３と、半導体層３１２上に形成された電極３１４とを有する。第２センサ部３２は、例えば、第２基板４２の第１主面４２１上に形成された第１導電型の半導体層３２１と、半導体層３２１上に形成された第２導電型の半導体層３２２及び電極３２３と、半導体層３２２上に形成された電極３２４とを有する。第１導電型の半導体層２０１、３１１、３２１は、例えばＮ型半導体層である。第２導電型の半導体層２０２、３１２、３２２は、例えばＰ型半導体層である。
【００４２】
なお、図２においては、第１センサ部３１、第２センサ部３２は一つの素子として示したが、Ｓ／Ｎ比の観点から複数の素子を電気的に接続して各々一つのセンサ部としてもよい。また、発光効率の観点から、発光素子２０も電気的に接続された多数の素子であっても良い。また、第１導電型の半導体層２０１、３１１、３２１と、第２導電型の半導体層２０２、３１２、３２２との間にそれぞれ真正半導体層（いわゆるｉ型半導体層）を挿入し、ＰＩＮ接合を形成してもよい。
また、図２では第１基板４１と第２基板４２との間に隙間が設けらており、この隙間に遮光性の樹脂モールド部５０（図１参照）が介在している。これにより、発光素子から出た光は、基板経由で第２センサ部へ到達しない。温度補正を併用した受発光装置の場合、より高精度に温度補正を行うことができる。
【００４３】
第１実施形態に係る受発光装置によれば、第２基板４２と第１基板４１とを平行配置させていることにより、受発光装置の更なる小型化が可能である。更に、第１基板４１と第２基板４２を接近した位置に配置することによって、発光素子２０から出射した光がより効率よく集光し、検出することができる。更に、第１基板４１と第２基板４２を接近させることにより、基板温度差、すなわち、第１センサ部３１と第２センサ部３２の温度差を低減することができる。つまり、受発光装置周囲に発生した気体又は液体の不均一な滞留が生じても、第１センサ部３１と第２センサ部３２の温度差が低減でき、高精度の測定が実現できる。
具体的には、発光素子２０の発光面の重心と第１センサ部３１の受光面の重心との距離が１０ｍｍ以下、更に良いのは５ｍｍ以下、最も良いのは３ｍｍ以下である。また、受発光装置が光反射部として凹面鏡６０を備えることにより、発光素子２０から出力された光のうち、第１基板４１の第２主面４１２から出射した赤外線（一点破線）を、凹面鏡６０で反射し選択的に第２センサ部３２に入射させることが可能になるため、より高感度な受発光装置を実現することが可能になる。
【００４４】
［第２実施形態］
図３は本発明の第２実施形態に係る受発光装置の構成例を示す概念図である。
第２実施形態に係る受発光装置は光学フィルタ７０を備える。光学フィルタ７０は、その外周部がフィルタ保持部材７１で保持され、第１基板４１の第２主面４１２と第２基板４２の第２主面４２２に対向して配置される。図３で示すように、凹面鏡６０の凹面（即ち、鏡面）６０１は半球形状となっているが、光の集光を効率よくできれば、どんな曲面でも良い。光学フィルタ７０を設けることによって、特性の波長のみ選択することができる。
また、第２実施形態に係る受発光装置では、同じ光学フィルタ７０に光が２回透過する（即ち、第１基板４１の第２主面４１２から出射して凹面鏡６０に向かう光が光学フィルタ７０を透過し、凹面鏡６０で反射して第２基板４２の第２主面４２２に向かう光が光学フィルタ７０を透過する）ので、発光スペクトルの内非常に狭い半値幅の発光・受光特性が実現できる。このようにして、波長分解能を極めることができ、例えば、ガスセンサの用途においては、混合ガスの正確な濃度測定は可能となる。
第２の実施形態では、第１、第２基板とは別に光学フィルタ７０の基板を設けたが、第１基板４１の第２主面と、第２基板４２の第２主面の少なくとも一方に直接２種類以上の屈折率の膜を設けても良い。この場合、組み立ての観点では、部品数は減り、組み立て工程は簡易となるので、好ましい場合はある。
【００４５】
［第３の実施形態］
図４は本発明の第３実施形態に係る受発光装置の構成例を示す概念図である。  
上述の第２実施形態では、光学フィルタ７０が第１基板４１の第２主面と第２基板４２の第２主面に対向して配置される場合について説明した。第２実施形態の図３では、凹面鏡６０の凹面（即ち、鏡面）６０１が半球形状となっている場合を示したが、凹面鏡６０の凹面は曲面のみに限定されない。
図４で示すように、鏡面６０１は、中央部が曲面で、外周部が平面でも良い。この場合、凹面鏡６０の一部（例えば、中央部）のみに光が反射するように、光学フィルタ７０のフィルタサイズを設計しても良い。この場合、第１基板４１に設けられた発光素子からの光の一部は光学フィルタ７０の側面Ｓに反射され、凹面鏡６０へ進行し、凹面鏡６０の中央部で反射され、再度隣接する第２基板４２に入射・検出される。
【００４６】
つまり、発光・受光の視野角は、図４に示すように光学フィルタ７０の寸法によって制限される。これにより、凹面鏡６０での多重反射は発生せず、第１基板４１に設けられた発光素子から出射された光は光学フィルタ７０を透過し、凹面鏡６０で１回のみ反射され、再度光学フィルタ７０を透過し、第２基板４２に設けられた第２センサ部に入射する。発光素子から放出された光を凹面鏡６０で１回のみ反射させることによって、凹面鏡６０の反射率の経年変化は極限に抑えることができる。更にこのような設計をすると、非常に小型の受発光装置が実現できる。例えば、３０ｍｍ×３０ｍｍ×１６ｍｍ以下、又は、１５ｍｍ×１５ｍｍ×１０ｍｍ以下の受発光装置が実現できる。
【００４７】
［第４実施形態］
図５は本発明の第４実施形態に係る受発光装置の構成例を示す概念図である。基板上にある発光素子及びセンサ部に接続された信号処理部（受発光制御部）６５が樹脂モールド部５０に一体化されている。
図５に示すように、第４実施形態に係る受発光装置では、第１基板４１と第２基板４１’内に、それぞれ、発光素子２０、２０’とセンサ部３１、３１’が設けられている。但し、第４実施形態はこれに限定されるものではなく、第１、第２実施形態と同様に第１基板には発光素子及び第１センサ部が設けられ、第２基板には第２センサ部のみが設けられている構成でも良い。信号処理部４５の構成は、第１基板と第２基板の構造次第で、異なっても良い。
【００４８】
図５に示すように、この受発光装置では、第１基板４１と第２基板４１’とが互いに側面（即ち、外周側面の一部）を対向させ、かつ隙間を設けて隣り合って配置されている。この隙間の大きさは樹脂モールド部５０が入り込むような寸法であれば良い。例えば、第１基板と第２基板との間の隙間の長さ（即ち、第１基板と第２基板との離間距離）をＬとしたとき、Ｌ＝５０μｍであればよい。但し、基板経由の光伝達を抑制する場合、使用樹脂の透過特性次第で、隙間の長さＬを広げる必要がある。隙間の長さＬを広げる程熱伝導が低下し、第１基板と第２基板の温度差が生じやすいので、受発光装置の設計の際、この距離を最適化する必要がある。一般的なエポキシー樹脂を利用する場合、Ｌは１００μｍ、又は２００μｍ以上であっても良い。
【００４９】
図５に示すように、第４実施形態に係る受発光装置は、第１基板４１の第２主面４１２側及び第２基板４１’の第２主面４１２’側に、光反射部として凹面鏡６０を備える。即ち、この受発光装置は、第１基板４１及び第２基板４１’からそれぞれ離れた位置に配置され、第１基板４１の第２主面４１２から出射した光を第２センサ部３１’に向けて反射し、第２基板４１’の第２主面４１２’から出射した光を第１センサ部３１に向けて反射する凹面鏡６０を備える。
信号処理部４５を樹脂モールド部５０と一体化することによって、信号処理部４５と発光素子、及び信号処理部４５と受光素子の間の接続配線を短くできる。その効果として、下記の２点がある。
【００５０】
（１）発光素子の駆動による、磁場発生の低減
多くの場合、ＬＥＤの発光効率を高めるために、発熱を抑える必要がある。特に波長は長い程、例えばナローギャップ半導体で構成されるＬＥＤのような発光素子は、その発光層のバンドギャップは小さいため、室温で強い発光量は得られ難い。例えば、後述のようにＩｎＳｂやＩｎＡｌＳｂのようなナローギャップ半導体の場合、直流で駆動すると、再結合による発光よりも、発熱による光は大きく現れる。そのため、瞬間的に（例えば数μｓ〜数ｍｓ）パルスを印加し、その瞬間だけ、光を受光する必要がある。従って、高周波（数１００Ｈｚ〜数ＭＨｚ）の電磁ノイズが、駆動回路と発光素子を繋ぐ配線から発生する可能性ある。
【００５１】
（２）受光素子と信号処理回路（アンプなど）間の配線によるノイズ除去。
特にナローギャップ半導体で構成される受光素子の場合、出力信号は微弱であるため、外乱又はＬＥＤに流れる電流自身の磁場によるノイズは、受光素子のＳ／Ｎ比を低下させてしまう可能性がある。この場合、初段アンプとセンサ部との間の配線は短くすることで、効果が発揮する。従って、特に長波長の受発光装置では、信号処理部６５を同一の樹脂モールド部５０内に設けることによって、その効果が最も発揮できる。長波長の受発光装置の応用例としては、環境ガスセンサである、ＮＯ、ＣＯ、ＣＯ２などが挙げられる。従って、これらのようなガスの検出装置に本発明を実施すると飛躍的な効果が得られる。
【００５２】
第４実施形態に係る受発光装置によれば、第１基板４１と第２基板４１’とが平行配置されることにより、受発光装置の更なる小型化が可能である。また、受発光装置が凹面鏡６０を備えることにより、第１の発光素子２０から出力された光のうち、第１基板４１の第２主面４１２から出射した光（一点破線）を凹面鏡６０で反射し第２センサ部３１’に選択的に入射させることが可能になる。また、第２の発光素子２０’から出力された光のうち、第２基板４１’の第２主面４１２’から出射した光（図示無し）を凹面鏡６０で反射し第１センサ部３１に選択的に入射させることが可能になる。このため、空間状態に異なった物質の混合が混入しても、特性の物質を高Ｓ／Ｎ比で測定することが可能となる。
なお、第４実施形態でも、図５で示すように、第１基板４１と第２基板４１’との間に、封止に使われる樹脂モールド部５０の一部がある。また、図５では、被検出物質（例えば、測定対象ガス）を導入するための供給口５１が凹面鏡６０に設けられている場合を示している。
【００５３】
［第５実施形態］
図６は本発明の第５実施形態に係る受発光装置の構成例を示す概念図である。この第５実施形態では、第１〜第４実施形態と違って、凹面鏡は２部に分かれるように設計されている。これにより、更に光集効率向上が図れる。この構造は発光素子が多数ある場合に、その効果が発揮できる。
具体的な形状としては、図６に示すように、第１基板４１にある発光素子２０から出射される光の一部は第１凹面鏡６１によって、集光され、第２基板４１’にある第２センサ部３１’に入射する。また、第２基板４１’にある発光素子２０’から出射される光の一部は第２凹面鏡６２によって集光され、第１基板４１にある第１センサ部３１に入射する。
この構造は第１基板４１から第２基板４１’への光路と第２基板４１’から第１基板４１への光路が等しくなるように設計しても良い。これにより、２対の発光・受光素子によるＳ／Ｎ向上、且つ、第１基板４１と第２基板４１’の温度差低減（従って、第１センサ部３１と第２センサ部３１’の温度差低減）が実現できると同時に、非常に小型・高精度の受発光装置が実現できる。
【００５４】
＜その他＞
本発明は、以上に記載した実施形態に限定されるものではない。当業者の知識に基づいて実施形態に設計の変更等を加えてもよく、また、第１〜第５実施形態を任意に組み合わせてもよく、そのような変更が加えられた態様も本発明の範囲に含まれる。
また、本発明の受発光装置は、赤外線式の受発光装置に限定されるものではなく、例えば紫外線式の受発光装置であってもよい。この場合は、発光部が紫外線を放射し、この放射された紫外線の一部を第１センサ部が受光し、紫外線の他の一部を第２センサ部が受光する。
【産業上の利用可能性】
【００５５】
本発明により、温度補償及び劣化補償が不要な、高Ｓ／Ｎ比を持つ更に小型な受発光装置を、より簡易な構成で実現することができる。
【符号の説明】
【００５６】
２０、２０’  発光素子
３１  第１センサ部
３１’、３２  第２センサ部
４１  第１基板
４１’、４２  第２基板
４５  信号処理部
４７  端子
４９  ワイヤー
５０  樹脂モールド部（封止部の一例）
６０  凹面鏡（光反射部の一例）
６１  第１凹面鏡
６２  第２凹面鏡
２０１、３１１、３２１  第１導電型の半導体層
２０２、３１２、３２２  第２導電型の半導体層
２０３、２０４、３１３、３１４、３２３、３２４  電極
４１１、４１１’、４２１  第１主面
４１２、４１２’、４２２  第２主面
６０１  凹面（鏡面）
【図１】
2015216231.tif 000003
【図２】
2015216231.tif 000004
【図３】
2015216231.tif 000005
【図４】
2015216231.tif 000006
【図５】
2015216231.tif 000007
【図６】
2015216231.tif 000008
【図７】
2015216231.tif 000009